(57)【特許請求の範囲】
【請求項１】
地下水の流れがある地盤に建設されるトンネルに用いられるセグメントであって、
セグメント本体の内部には地下水の通水路となる通水手段が設けられ、かつセグメント本体の厚さ方向には前記通水手段とほぼ直交するとともに連通するガイド管が設けられ、前記ガイド管は前記セグメント本体内面付近で着脱自在な止水栓を有し、かつ前記セグメント本体には、前記セグメント本体内の前記通水手段と一端が連通された掃除用配管が設けられ、この掃除用配管の他端は前記セグメント本体の内面側に臨設され、かつメンテナンス用の着脱自在な止水栓が設けられ、かつセグメント本体継手面において通水手段内を通る地下水の漏水を防止する止水手段を設けたことを特徴とする透水セグメント。
【請求項２】
請求項1記載の透水セグメントにおいて、
前記透水セグメントは、コンクリート製のセグメント、互いに隣接する一方の組み込まれたセグメント本体に対し、他方のセグメント本体を嵌め込む合成セグメント、ダクタイル鋳鉄セグメントまたは鋼製セグメントからなることを特徴とする透水セグメント。
【請求項３】
請求項２記載の透水セグメントにおいて、
前記合成セグメントは、隣接する第１のセグメント本体およびこれと対向し嵌合方式により接続される第２のセグメント本体内のほぼ中央部にそれぞれ第１、第２の通水手段が設けられ、第１、第２のセグメント本体の接続側の各端面にほぼ円筒状の第１、第２の突起部がそれぞれ突設され、この第１、第２の突起部内にそれぞれ第１、第２の通水手段の突出部が収納され、かつ第１の突起部および第１の通水手段突出部の端面と、これと嵌合方式により接合される第２の突起部および第１の通水手段突出部の端面とは傾斜面で接合され、第１、第２の通水手段が連通することを特徴とする透水セグメント。
【請求項４】
地下水の流れがある地盤に建設されるトンネルに用いられるセグメントであって、
セグメント本体の内部には地下水の通水路となる通水手段が設けられ、かつセグメント本体の厚さ方向には前記通水手段とほぼ直交するとともに連通するガイド管が設けられ、前記ガイド管は前記セグメント本体内面付近で着脱自在な止水栓を有し、かつ前記セグメント本体には、前記セグメント本体内の前記通水手段と一端が連通された掃除用配管が設けられ、この掃除用配管の他端は前記セグメント本体の内面側に臨設され、かつメンテナンス用の着脱自在な止水栓が設けられ、かつセグメント本体継手面において通水手段内を通る地下水の漏水を防止する止水手段を設けた透水セグメントを用いて構築したトンネルであって、
前記透水セグメントに設けられたガイド管を介して前記セグメント外面から地面に突出し、地下水通過口を有する通水管および導入された地下水排水用の排水管を設け、
前記地下水の上流側に前記通水管が設けられ、下流側に前記排水管が設けられたことを特徴とするトンネル。
【請求項５】
請求項４に記載のトンネルにおいて、前記通水管そしてまたは排水管に目詰まり防止用の着脱自在なフィルターが設けられたことを特徴とするトンネル。
【請求項６】
請求項４記載のトンネルにおいて、トンネルを構成するセグメントのうち、頂部付近に組み立てられるセグメントを除く他のセグメントが前記透水セグメントであることを特徴とするトンネル。
【請求項７】
請求項４記載のトンネルにおいて、
前記透水セグメント内に設けられた通水手段は前記トンネルの周方向に設けられ、かつ通水手段はトンネル軸方向に間隔をあけて設けられ、各通水手段は前記トンネル軸方向に設けられた水平管にて連結されたことを特徴とするトンネル。
【請求項８】
請求項４記載のトンネルにおいて、
トンネル内の下部に、地下水上流側に位置する通水手段と、地下水下流側に位置する排水側の通水手段とを連結する連結管を設けたことを特徴とするトンネル。
【請求項９】
請求項８記載のトンネルにおいて、
前記連結管のほぼ中央部に、トンネル軸方向に沿って伸びる貯留溝を設けたことを特徴とするトンネル。
【請求項１０】
請求項９記載のトンネルにおいて、前記トンネルが近接して併設され、それぞれのトンネルのセグメント内配管を連結して通水可能とすることを特徴とするトンネル。
【発明の詳細な説明】
【技術分野】
【０００１】
この発明は、地下構造物として地中に建造されるセグメントであって、詳しくは、地下水の流動阻害の防止を図った通水路を備えた透水セグメントおよびこの透水セグメントを用いたトンネルに関する。
【背景技術】
【０００２】
地下の有効活用として、種々の地下構造物が構築される。構造物として代表的なものは、シールド工法などで地下に道路や鉄道用などの横坑を掘削しつつセグメントを組み込んで構成したトンネルがある。地中には、場所によっては地盤内部に地下水脈が存在する。この部分にトンネルが構築されると地下水脈の全部またはその一部、相当部分を遮断したり、狭めることになるため、地下水脈の下流域の地下水が減少してしまい、井戸や湧泉の枯渇、用水池が干上がり、農業や観光資源や当該地域住民の生活環境に多大な悪影響を与えることがある。
【０００３】
図１２は地盤中に構築された従来の一般的な道路トンネルを示す。地盤中に、透水性の小さい地盤Ａ、透水性の大きな地盤Ｂ、透水性の小さい地盤Ｃ等が存在することがある。
【０００４】
透水性の大きな地盤Ｂは、地下水脈が存在し、図において矢印で示すように、例えば右側から左側に向かって地下水が流れているような場合、その地盤Ｂ中に道路トンネル１００があると地下水の流れがトンネル１００によって遮られてしまう。なお、図中Ｇは地表面、１０１はトンネル内に設けられた路床、１０２はその上に設けられた舗装、破線で示す１０３は建築限界、１０４は標識設置空間、１０５は監視員通路である。
【０００５】
このような場合に、地下水の流れを遮断したり、狭めることを防止した先行例としては、特許第３８４６９７２号（以下、単に先行特許という）がある。
【特許文献１】特許第３８４６９７２号
【０００６】
この先行特許は、非開削の状態での地中掘削に基づいて構築されるトンネルにおいて生ずる、地下水の流動阻害の防止構造を構築する方法であって、
グラウトホ−ルと、このグラウトホールを貫通して一方側の周方向連結面近傍から他方側の周方向連結近傍まで延在する単位通水管とを有するセグメントピースを用いて、地下水流同の上流側及び下流側にグラウトホールが位置するようにセグメントリングを組み立てる工程と、
各グラウトホールを介してグラウト材を裏込注入した後、地下水流動の上流側のグラウトホールから集水管の長さに応じた深さまで削孔を行い、これによって形成した孔に集水管を嵌め込み、かつ地下水流動の下流側のグラウトホールから放水管の長さに応じた深さまで削孔を行い、これによって形成した孔に放水管を嵌めこむとともに、各グラウトホールにキャップをする工程と、
この工程に続いて又は平衡して、隣り合う単位通水管の端部同士を連結管を介して連結して、セグメントリングの周壁内部に、少なくともトンネルの下側をとおり集水管および放水間に連結する一体的な通水間を構築する工程と、
によってトンネルを構築している。
【発明の開示】
【発明が解決しようとする課題】
【０００７】
上記先行特許においては、隣り合う単位通水管の端部同士を連結管を用いて連結するようにしているため、連結管の部材を必要とし、よって構築作業が煩雑であるという欠点を有している。また、地下水通水路に詰まりが生じると、地下水の流れが阻害されたり、機能が低下するなどし、周辺環境に多大な悪影響を及ぼすが、この先行特許においては、メンテナンスを行い地下水通水路の詰まりを解消し、性能を維持するといった配慮がなされていない。
【０００８】
この発明は上記のことに鑑み提案されたもので、その目的とするところは、トンネルを構成するセグメントの内部に地下水を通水させる通水手段を設け、この通水手段の詰まりを除去でき、長期にわたって性能を維持することのできる、簡易構成であってメンテナンス性に優れた透水セグメントおよびこの透水セグメントを用いたトンネルを提供することにある。
【課題を解決するための手段】
【０００９】
請求項１の発明は、地下水の流れがある地盤に建設されるトンネルに用いられるセグメントであって、セグメント本体の内部には地下水の通水路となる通水手段が設けられ、かつセグメント本体の厚さ方向には前記通水手段とほぼ直交するとともに連通するガイド管が設けられ、前記ガイド管は前記セグメント本体内面付近で着脱自在な止水栓を有し、かつ前記セグメント本体には、前記セグメント本体内の前記通水手段と一端が連通された掃除用配管が設けられ、この掃除用配管の他端は前記セグメント本体の内面側に臨設され、かつメンテナンス用の着脱自在な止水栓が設けられ、かつセグメント本体継手面において通水手段内を通る地下水の漏水を防止する止水手段を設けたことを特徴とする。
請求項２の発明は、請求項1記載の透水セグメントにおいて、前記透水セグメントは、コンクリート製のセグメント、互いに隣接する一方の組み込まれたセグメント本体に対し、他方のセグメント本体を嵌め込む合成セグメント、ダクタイル鋳鉄セグメントまたは鋼製セグメントからなることを特徴とする。
請求項３の発明は、請求項２記載の透水セグメントにおいて、前記合成セグメントは、隣接する第１のセグメント本体およびこれと対向し嵌合方式により接続される第２のセグメント本体内のほぼ中央部にそれぞれ第１、第２の通水手段が設けられ、第１、第２のセグメント本体の接続側の各端面にほぼ円筒状の第１、第２の突起部がそれぞれ突設され、この第１、第２の突起部内にそれぞれ第１、第２の通水手段の突出部が収納され、かつ第１の突起部および第１の通水手段突出部の端面と、これと嵌合方式により接合される第２の突起部および第１の通水手段突出部の端面とは傾斜面で接合され、第１、第２の通水手段が連通することを特徴とする。
請求項４の発明は、地下水の流れがある地盤に建設されるトンネルに用いられるセグメントであって、セグメント本体の内部には地下水の通水路となる通水手段が設けられ、かつセグメント本体の厚さ方向には前記通水手段とほぼ直交するとともに連通するガイド管が設けられ、前記ガイド管は前記セグメント本体内面付近で着脱自在な止水栓を有し、かつ前記セグメント本体には、前記セグメント本体内の前記通水手段と一端が連通された掃除用配管が設けられ、この掃除用配管の他端は前記セグメント本体の内面側に臨設され、かつメンテナンス用の着脱自在な止水栓が設けられ、かつセグメント本体継手面において通水手段内を通る地下水の漏水を防止する止水手段を設けた透水セグメントを用いて構築したトンネルであって、前記透水セグメントに設けられたガイド管を介して前記セグメント外面から地面に突出し、地下水通過口を有する通水管および導入された地下水排水用の排水管を設け、前記地下水の上流側に前記通水管が設けられ、下流側に前記排水管が設けられたことを特徴とする。
請求項５の発明は、請求項４に記載のトンネルにおいて、前記通水管そしてまたは排水管に目詰まり防止用の着脱自在なフィルターが設けられたことを特徴とする。
請求項６の発明は、請求項４記載のトンネルにおいて、トンネルを構成するセグメントのうち、頂部付近に組み立てられるセグメントを除く他のセグメントが前記透水セグメントであることを特徴とする。
請求項７の発明は、請求項４記載のトンネルにおいて、前記透水セグメント内に設けられた通水手段は前記トンネルの周方向に設けられ、かつ通水手段はトンネル軸方向に間隔をあけて設けられ、各通水手段は前記トンネル軸方向に設けられた水平管にて連結されたことを特徴とする。
請求項８の発明は、請求項４記載のトンネルにおいて、トンネル内の下部に、地下水上流側に位置する通水手段と、地下水下流側に位置する排水側の通水手段とを連結する連結管を設けたことを特徴とする。
請求項９の発明は、請求項８記載のトンネルにおいて、前記連結管のほぼ中央部に、トンネル軸方向に沿って伸びる貯留溝を設けたことを特徴とする。
請求項１０の発明は、請求項９記載のトンネルにおいて、前記トンネルが近接して併設され、それぞれのトンネルのセグメント内配管を連結して通水可能とすることを特徴とする。
【発明の効果】
【００１０】
地下水脈地層に建造されたトンネルは種々の弊害をもたらすので、地下水の流れを遮らないよう通水路が設けられる。このようなトンネルは経年にわたってその性能を維持することが求められる。しかしながら、経年使用や土質状態によっては、通水路の内部に微細な土砂やゴミ、水垢などが沈殿・付着して管の詰まりを生ずると地下水の流れが阻害されて機能が低下したり、最悪な場合地下水の流れが止まることにより、トンネルより下流の地域に井戸枯れや湧泉の枯渇、河川水量の低下、地下水位の低下による林木の立ち枯れなど周辺環境に大きな影響を与えることになる。
本発明の透水セグメント、この透水セグメントを用いたトンネルによれば、透水セグメントの通水路のメンテナンスを内側から行うことができるよう、セグメント本体に通水手段と連通する掃除用配管を設け、この配管に着脱自在な掃除用の止水栓を設けたため、内側から通水路の洗浄等を容易に行うことができ、経年にわたり機能の維持を図ることができる。
【発明を実施するための最良の形態】
【００１１】
以下、図面に沿って本発明の実施例を説明する。
【実施例１】
【００１２】
図１は、本発明に係る透水セグメントを地盤中に構築したトンネルで、この例ではトンネルを断面がほぼ円形をなす。
【００１３】
この円形のトンネル１は、弧状の複数の透水セグメントを組み立てて構成される。コンクリート製のセグメント本体２ａ内には導入された地下水の通路となり地下水通水手段として機能するセグメント内配管３が設けられ、かつトンネル１の一方の側（図中右側）に配設されるセグメント本体２ａには地下水４をセグメント内配管３の内部に導入するための複数本のパイプ状の通水管５が設けられ、他方の側（図中左側）のセグメント本体２ａには導入された地下水４を地盤Ｂ中へ排出する排水管６が設けられ、透水セグメント２が構成される。トンネル１の一方の側は地下水上流側に面し、他方の側は地下水下流側に位置している。これらの通水管５、排水管６の数、長さ、径等は流れる地下水量により、設計される。またトンネル１の内の下部には上面が舗装１０２となっている路床１０１が設けられるが、その部分に好ましくは一方の側のセグメント内配管３と、他方の排水側のセグメント内配管３とを連結する連結管７が設けられる。この連結管７は、透水セグメント２内に導入された地下水を速やかに排水側に導くためのものであるが、場合によってはなくても良い。また、トンネル１を構成する透水セグメント２としては、通水管５、排水管６はなくても良く、セグメント内配管３だけのものもある。なお、本発明のトンネルは、セグメント内配管を有さない通常のセグメント（図示せず）と共に組み合わせて使用しても良い。特に頂部に組み込まれるキーセグメントには、セグメント内配管を設けない場合もある。
【００１４】
通水管５の表面には地下水の通過口であって地下水を内部に導入するためのスリット８が設けられ、また、内部には通水管５の目詰まりを防止するフィルター９が設けられている。このフィルター９等については後述するが、経年使用によって微細土砂が溜まり詰まった場合、トンネル内部から交換可能に構成されている。排水管６にも同様に地下水を排出するためのスリット８、フィルター９等が設けれている。これによって経年にわたり地下水の透水量を維持できるように構成されている。これらの詳細の構成については図３、図４等で後述する。なお、地盤等の周辺環境によっては、フィルター９を設けない場合もあり得る。
【００１５】
図２は、図１の状態のさらなる説明図で、トンネル１の半径方向の概略部分断面図である。
【００１６】
弧状の透水セグメント２の内部のほぼ中央部に設けられ、筒状の構造物の周方向に沿って地下水通水手段として機能するセグメント内配管３が設けられる。セグメント内配管３は、通常、鋼管や合成樹脂管等からなる。このセグメントと隣接するセグメントとの隣接面には漏水防止用のシールを設けるための外側シール溝３ａ、内側シール溝３ｂが設けられている（図２中右側図示）。セグメントを接続した場合、接続部分の各セグメント端面からの漏水を防止するためである。
【００１７】
なお、セグメント内配管３の適箇所には、セグメント内配管３の内部を掃除するためのメンテナンス用の掃除用配管１０が設けられている。その内端部はセグメント内配管３と連通しており、他端部はセグメント本体２ａ内面側に設けられた掃除穴１１に臨設され、掃除穴１１に面する掃除用配管１０の他端部の外周部には掃除用止水栓ネジ部１０ａが形成され、掃除用止水栓１２が着脱自在に取り付けられている。
【００１８】
また、セグメント内配管３が設けられるセグメント本体２ａ間端面には、図２中左側に示すように、セグメント内配管シール溝３ｃがそれぞれ設けられ、隣接するセグメント内配管３をつき合わせて接続した場合、取り込んだ地下水が端部において漏出しないようこのセグメント内配管シール溝３ｃにシールを貼り付けて止水する止水手段を有する。このように本発明では、セグメント本体継手面において通水手段内を通る地下水の漏水を防止する止水手段を設けている。
【００１９】
また図２中、１３は透水セグメント２の内面から外面にわたって透水セグメント２の厚さ方向に貫設された貫通管で、セグメント内配管３とほぼ直交して配設され、セグメント内配管３と連通している。貫通管１３およびセグメント内配管３の数、位置、管径などは必要に応じ適宜設計される。
【００２０】
図３（ａ）は、図２中Ａ方向から見た端面図であって、かつ貫通管１３に通水管５を設けた状態の説明図を示す。透水セグメント２のセグメント本体２ａのほぼ中央部には、（ｂ）に示すようなほぼ円筒状のセグメント内配管３が適間隔でもって設けられている。また、貫通孔１４の内周面には円筒状の前記貫通管１３が設けられ、貫通管１３をガイド管としてその内側に通水管５や排水管６の基部が挿入、取り付けられる。貫通管１３とセグメント内配管３とはほぼ直交して交差し、連通している。セグメント外周面から突出するように放射方向に設けられた通水管５や排水管６の内部には目詰まり防止用のフィルター９が設けられる。また貫通管１３の底部側、つまりセグメント内面側にはネジ構造による着脱自在な止水栓１５が設けられる。この止水栓１５を取り外すことによってフィルター９を交換できるように構成されている。その他、図３（ａ）中、３ａ’、３ｂ’は、図２に示した外側シール溝３ａ、内側シール溝３ｂに設けられた外側シール、内側シールで、隣接するセグメント間接合部の漏水を防止するためのものである。
【００２１】
構築にあたり、本発明においては、シールド工法などにより地中に横坑を掘削しつつエレクターを介しコンクリート製の透水セグメント２を組み立ててトンネル１を構築する。各透水セグメント２は、公知の適宜の継手手段によって接続され、内部のセグメント配管３は、連結管を用いることなく、つき合わせにより簡単に接続できる。トンネル１は、通水管５や排水管６を有する透水セグメント２、通水管５や排水管６がなくセグメント内配管３だけを有する透水セグメント２を組み合わせて構築される。トンネルの頂部には透水セグメント２を用いない例もある。図示例のトンネル１の断面形状は円形であるが、セグメントの断面形状を適宜選択して組み合わせることによって長円形、楕円形、馬蹄形、ほぼ矩形等のトンネル１を構築し得る。
【００２２】
トンネル１が地盤ｃ上であって地盤Ｂに位置する場合、トンネル１の所望の箇所にトンネル内部から、図３（ａ）に示した止水栓１５を外し、トンネル１の内側から貫通管１３を介し通水管５や排水管６をトンネル１の外側に向かって略放射方向に突設させる。通水管５は、図１に示すように地下水上流側（図１においては右側）に、排水管６は下流側に突設される。
【００２３】
通水管５や排水管６の数、長さ等は地盤Ｂの状況、トンネル１の規模等に応じ最適なものが採択される。これらの通水管５、排水管６はセグメント内配管３と連通される。通水管５や排水管６の内部には必要に応じてフィルター９が設けられる。
【００２４】
通水管５や排水管６の突設作業、フィルター９の挿嵌作業等が終了したら貫通管１３の底部に止水栓１５を設ける。
【００２５】
図４は、通水管５の詳細な構成、作用を示す。
【００２６】
通水管５の表面には適形状のスリット８が多数設けられ、図示の状態において、矢印で示すように、右側から左側に流れている地下水４は、これらのスリット８を介し通水管５の内部に導入される。この場合、スリット８に代え、孔としても良い。排水管６も同様に構成される。導入された地下水４は繊維や多孔性樹脂などからなる交換可能なフィルター９を通過し、止水栓１５によりトンネル内部への漏水は防止され、通水管５とほぼ直交するセグメント内配管３へ移動し、排水管６側に流れ地盤中に排水される。なお、図中、１６は透水セグメント２の外周部に注入された裏込めである。１５ａは止水栓着脱用のネジ部である。
【００２７】
図５は透水セグメント２の展開図であって、内部に設けられたセグメント内配管３や貫通管１３等の一配置例である。上記図４において、通水管５から導入された地下水４は、この図５に示すような貫通管１３を介し、セグメント内配管３を流れていく。この例では、トンネル軸方向に向かって適間隔で設けられたセグメント内配管３相互をこれとほぼ直交する方向に配置した水平管１７によって連結し、通水管５を介しセグメント内配管３に導入された地下水を排水管６側に速やかに効率よく流すようにしている。水平管１７の配置の仕方としては、透水セグメント２の上側に示すように、離間したセグメント内配管３同士を連結するように設けたり、あるいは下側に示すように、各セグメント内配管３を連結しつつ、透水セグメント２の一端から他端にかけて端部水平管１８ａ、１８ｂを用い開口させ、他の部材と連結させるようにするなど種々の態様が考えられる。この場合、透水セグメント２の一端および他端にそれぞれ開口した端部水平管１８ａ、１８ｂの周囲には他の透水セグメント２接続時の漏水防止用の端部水平管シール溝ａが設けられる。なお、場合によっては水平管１７は必ずしも設ける必要はない。
【００２８】
経年使用や地盤の土質の状況によって通水管５や排水管６内のフィルター９の目詰まりが生ずることがある。この場合、トンネル内からメンテナンス用の止水栓１５を外し、フィルター９を取り出し新しいものに交換すれば良い。あるいは清掃後のものを再使用しても良い。
【００２９】
次に、セグメント内配管３内を掃除する場合について説明する。
【００３０】
セグメント内配管３には、図２に示すように、メンテナンス用の掃除用配管１０が接続されている。この掃除用配管１０は透水セグメント内面から緩やかな曲率をもってセグメント内配管３にすりつけて設けられている。掃除する場合、透水セグメント２の内面側、つまりトンネル内側から掃除用止水栓１２を外し、掃除用装置（図示せず）の洗浄管を挿入する。
【００３１】
この場合、掃除用配管１０はセグメント内配管３に緩やかにすりつけて取り付けられているので、掃除用装置の洗浄管を円滑にセグメント内配管３に挿入し、セグメント内配管３の内部へ侵入させることができる。
【００３２】
例えば洗浄管は屈曲自在なホースや管からなり、先端にはジェットノズルを備えているものを使用すると好適である。洗浄にあたっては、洗浄水をジェット噴射し、セグメント内配管３の内部を掃除すれば良い。
【００３３】
掃除の際の余剰水や、内部の沈殿土砂などは余剰水とともに掃除穴１１より外部へ排出される。本発明では、このようにして容易に掃除することができる。
【００３４】
掃除終了後は掃除用装置を撤去し、掃除用配管部の開口部分に掃除用止水栓１２を螺着させれば良い。
【実施例２】
【００３５】
図６は本発明の第２実施例を示す。この実施例のトンネル１Ａでは、図１に示した連結管７のほぼ中央部にトンネル軸方向にほぼ平行に延びる筒状の貯留溝７Ａを設け、図示の状態のおいて右側の通水管５、セグメント内配管３を介し連結管７に導入された地下水を一時的に貯留するように構成したことに特徴を有している。この貯留溝７Ａは緩衝部として作用する。他の構成、作用等は図１に示した第１実施例と同様である。
【００３６】
図７は、上記第２実施例のそれぞれ道路上り、下り２つのトンネル１Ａを地盤中に構築した場合、隣接する各トンネル１Ａの連結管７を中間通水管７ａで連結し、図示の状態において右側に位置する第１のトンネル１Ａ側に導入された地下水を、左側に位置する第２のトンネル１Ａ側にも流し、第２のトンネル１Ａ側の排水管６からでも地盤中に排水可能に構成したものである。この場合、排水を速やかに行うことができる。
【００３７】
この中間通水管７ａは、小口径推進工法、曲線推進工法等によってパイプを設置して連結すれば良い。
【００３８】
なお、第１のトンネル１Ａの排水管６と第２のトンネル１Ａの通水管５とは衝突しないように設置しても良いことは勿論である。
【００３９】
図示例では、地盤中に、第１、第２の２つのトンネル１Ａを設置した例を示したが、さらに第３のトンネル１Ａ等を設置し、同様に中間通水管７ａによって地下水上流側の第２のトンネル１Ａと連結するようにしても良い。
【００４０】
前述の図1等に示した第１実施例では、透水セグメントには、通水手段としてのセグメント内配管３、貫通管１３等が設けられ、隣接するセグメント同士は一般的な公知の接続手段で接続できるコンクリート製のものとしたが、図８は接続方式が嵌合タイプのコンクリート製の合成セグメントの１例である。すなわち、図８（ａ）は本発明で用いると好適な嵌合方式による合成セグメントの実施例であってセグメントの周面展開図を示す。この周面展開図は２つの透水セグメントの継手付近の部分を示す。
【００４１】
一方のセグメント本体Ａ（図中左側）のほぼ中央部にはセグメント内配管ａが設けられ、他方のセグメント本体Ｂ（図中右側）の同じくほぼ中央部にはセグメント内配管ｂが設けられている。そして、これらのセグメント内配管ａと、セグメント内配管ｂの接合部分は、セグメント本体Ａの接合部側端面ａ１、これと対向するセグメント本体Ｂの接合部側端面  から外部に突出している。
【００４２】
セグメント本体Ａの接合部側端面ａ１には、鋼材または鋳鉄等からなる円筒状の突起部２０ａが設けられ、この突起部２０ａ内にセグメント内配管ａの突出部が位置し、保護されている。
【００４３】
一方のセグメント本体Ａと対向する他方のセグメント本体Ｂの接合部側端面ｂ１にも同じく突起部２０ｂが設けられ、この突起部２０ｂ内にセグメント内配管ｂの突出部が位置し、保護されている。
【００４４】
セグメント本体Ａ側の突起部２０ａとその内部に収納されたセグメント内配管ａの端面は面一の傾斜面となっている。また、セグメント本体Ｂ側の突起部２０ｂとその内部に収納されたセグメント内配管ｂの端面は面一の傾斜面となっており、図４（ａ）において、既に組み込まれた一方のセグメント本体Ｂに対し、矢印で示す方向に、他方のセグメント本体Ａを嵌め込み方に押し込んで嵌め込めば相互の傾斜面で接合し、セグメント内配管ａ、ｂとが連通する。
【００４５】
この場合、少なくともいずれか一方の突起部２０ａまたは２０ｂの接合面にシール２６を取り付けておけば、接合されたセグメント内配管ａ、ｂを通過する地下水の漏出を防止できる。このように、この実施例でもセグメント本体継手面において通水手段内を通る地下水の漏水を防止する止水手段を設けている。また、シール２６面と相手側の接合面がこすれないので傷つきにくい。
【００４６】
このようにして透水セグメントは構成されている。なお、この実施例の透水セグメントにおいても、特に図示しないが第１、第２実施例と同様にして、掃除用配管や通水管、排水管が適箇所に設けられる。また、メンテナンス用の止水栓も設けられて構成される。
【００４７】
なお、突起部２０ａ、２０ｂはセグメントのＨ型枠材のウェブ材に、例えば溶接やボルト等で固着される。すなわち図８（ａ）中、２１は各セグメント本体Ａ、Ｂの外周に設けられた鋼枠ウェブである。２２は各セグメント本体Ａ、Ｂの継手方向に設けられた鋼枠フランジである。２３はセグメント本体Ａ、Ｂ相互の継手側にそれぞれ設けられ、両者を連結する継手板で、先端に嵌め込みピン２４を嵌入させる複数の嵌め込み孔２５が形成され、その孔２５に嵌め込みピン２４を嵌入させることにより、各セグメント本体Ａ、Ｂは一体化される。
なお、本実施例では、合成セグメントの継手部の間隔が広い場合の例について述べたが、継手間隔が非常に近接している場合には実施例１と同様に継手面にシール等の止水手段を設けて対処することができる。
【００４８】
図８（ｂ）は、図８（ａ）中のＭ−Ｍ断面を示す。
【実施例３】
【００４９】
図９はトンネルのようなトンネルの構成部材である鋼製セグメントからなる透水セグメントの他の例を示す。この透水セグメント３０は、断面ほぼ矩形であって表面が防錆処理された鋼製のセグメント本体３０ａの内部の継手板３１に第１実施例でのセグメント内配管として機能し、導入された地下水を通水させる通水部３５を設け、この通水手段である通水部３５に前述の第１実施例と同様に構成された通水管５の内端部を接続し、地盤Ｂ中の地下水４を導入し、通水管５を介し排水管（この例では図示せず）側に通水させ外部へ排水させるようにしたセグメントである。この透水セグメント３０は、図示の状態において上方側が切羽側、下方側が坑口に面して配置される。すなわち、通水部３５は、この透水セグメントを組み立ててトンネルを構築した場合、トンネルの周方向に間隔を介して設けられる。
【００５０】
図中３３はセグメント主桁、３４はセグメント鋼板、３２はセグメント内通水空間で、３６はセグメント主桁、３７は止水栓、３７ａは止水栓着脱用のネジ部である。３８はセグメント鋼板３４の外側に注入された裏込め、３９は通水管５を取り付けるためのガイド管で、透水セグメント３０の外面側に設けられ、ガイド管３９の底部側であって透水セグメント３０の内面側（トンネル内側）付近に着脱自在な止水栓３７が設けられている。このガイド管３９は第１実施例の貫通管に相当する。また、この実施例でも特に図示しないが第１実施例のように、通水部３５に、着脱自在なメンテナンス用の止水栓を有する掃除用配管等が接続される。
【００５１】
また、この実施例でも、特に図示しないが、前述の実施例のように、溝やシールを用い、セグメント継手面において通水手段内を通る地下水の漏水を防止する止水手段が設けられる。この実施例でも図１に示した地盤Ｂ中に建造した際のトンネルの地下水に対する作用効果は第１実施例とほぼ同様である。
【００５２】
経年使用における通水管５内のフィルター９の交換、通水部３５の掃除等は、止水栓３７等を取り外して行えば良く、メンテナンスを容易になし得る。また、第１実施例のように、掃除用の配管を設ければ、その止水栓を取り外して通水部３５を掃除できる。
【実施例４】
【００５３】
図１０は本発明の鋼製セグメントからなる透水セグメントのさらに他の例を示す。
【００５４】
この例では、鋼製のセグメント本体４０ａにコンクリートの如き充填材４１を充填し透水セグメント４０を構成した例である。
【００５５】
すなわち、外側のセグメント主桁４２、セグメント鋼板４３の内側と防錆処理されたセグメント内配管４４との間に充填材４１を充填して透水セグメント４０を構成している。
【００５６】
この透水セグメント４０を構成するセグメント鋼板４３の外側には裏込材３８が注入され、透水セグメント４０の内面側（トンネル内側）付近には、ネジ部４５ａによって着脱自在な止水栓４５が設けられる。この止水栓４５の反対側には通水管５が設けられる。通水管５には透水セグメント４０外面側にこの通水管５がガイド管４６を介し設けられる。ガイド管４６の底部側であって透水セグメント４０の内面側に止水栓４５が設けられている。地盤Ｂ中に設けたこの透水セグメント４０を用いてなる地下構造物の外面に通水管５を設置する場合、この止水栓４５を取り外して作業を行うことができる。上述の第４実施例も同様である。なお、この実施例でも、特に図示しないが、前述の実施例のように、溝やシールを用い、セグメント継手面において通水手段内を通る地下水の漏水を防止する止水手段が設けられる。
【００５７】
この通水管５を有する透水セグメント４０を用いて構成した地下構造物を、図１に示した、地盤中に設置した際の地下水に対する作用効果は第１実施例とほぼ同様である。
【００５８】
また、経年使用における通水管５内のフィルター９の交換、通水手段であるセグメント内配管４４の掃除等は、第４実施例と同様、止水栓４５を取り外して行うことができる。掃除用配管、その止水栓（いずれも図示せず）を設け、第４実施例と同様にメンテナンスを行うことができる。
【実施例５】
【００５９】
図１１（ａ）〜（ｄ）は本発明の第６実施例を示す。この第６実施例は、図１〜図５に示した第１実施例とほぼ類似している。図１１（ａ）は内部構造を示すためのトンネル半径方向の断面図、（ｂ）は透水セグメントの周面展開図、（ｃ）は（ｂ）図の側断面図、（ｄ）は側面図である。
【００６０】
（ａ）図において、５０は鋼製セグメントからなる透水セグメント、５１はセグメント本体の外表面の鋼性のスキンプレート、５２は補強用の縦リブ、５３はセグメント継手板、５４はセグメントシールで、セグメント継手板５３を介し隣接する透水セグメント５０同士が接続されている。５５は適箇所に設けられたガイド管で、第１実施例のセグメント内配管、つまり地下水通水手段として機能する通水配管５６とほぼ直交して交差して設けられ、通水配管５６と連通している。５７はガイド管５５の底部側であって透水セグメント５０の内面側付近に着脱自在に設けられた止水栓である。このガイド管５５は第１実施例の貫通管に相当し、通水管５や排水管６が接続される。５８は他の通水配管５６と連結するための縦管である。
【００６１】
（ｂ）、（ｃ）図において、５８ａは補強用の横リブ、５９は通水配管５６の適箇所に内端部が接続された掃除用配管で、外端部には着脱自在な掃除用止水栓５９ａが設けられている。この掃除用配管５９の作用は第１実施例とほぼ同様である。
【００６２】
（ｄ）図において、６０は通水配管シール溝で、内部に通水配管５６が設けられる。シール溝６０にはシールが設けられ止水手段が構成される。６１はセグメントシール溝である。
【００６３】
なお、セグメント継手およびリング継手の方式については図示を略す。特に高剛性継手の場合はダクタイルや鋼製金具が使用されるため、通水配管シール溝６０にシールを取り付けて止水することにより、セグメント継手金具の腐食を防止することができるので、経年にわたり地山の地下水を通水できる。この透水セグメント５０によってもトンネル周辺の水環境の維持・保護することが可能となる。
【００６４】
なお、地盤中に構築されるトンネルは場所によっては直線部分があったり、屈曲した蛇行部分があったり、さらにはある地点で枝分かれして分枝させたりすることがある。したがって、それに応じ適切な透水セグメントを選択し、そのセグメントあるいは他の一般的な適切なセグメントを組み合わせるなどしてトンネルは構築される。このように、トンネルは、図１に示した第１の実施例のコンクリート製の透水セグメント、図８に示した嵌合方式の合成セグメント、およびもしくは図９〜図１１に示した鋼製セグメント、ダグタイル鋳鉄セグメント等を施工条件に応じ適宜組み合わせるなどして構築される。また、各種タイプの透水セグメントのうち、いずれか一つを選択して構築する場合もある。
【図面の簡単な説明】
【００６５】
【図１】本発明の第１実施例の透水セグメントを用いてなる地下構造物をトンネルとした場合の断面図を示す。
【図２】同上の部分断面説明図。
【図３】（ａ）は図２中Ａ−Ａ断面図、（ｂ）はセグメント内配管の設明図を示す。
【図４】本発明で用いられる通水管の構成を示す説明図を示す。
【図５】透水セグメントの周面展開説明図を示す。
【図６】本発明の第２実施例に係る地下構造物をトンネルとした場合の断面図を示す。
【図７】本発明の第２実施例の使用状態の説明図を示す。
【図８】（ａ）は本発明の第３実施例の嵌合方式による合成セグメントの周面展開説明図、（ｂ）は（ａ）中Ｍ−Ｍ断面を示す。
【図９】本発明の第４実施例の透水セグメントである。
【図１０】本発明の第５実施例の透水セグメントである。
【図１１】本発明の第６実施例であって、（ａ）は連設した透水セグメントの縦断方向の断面図、（ｂ）は同上の透水セグメントの周面展開説明図、（ｃ）は同上の側断面図、（ｄ）は側面図を示す。
【図１２】従来例を示す。
【符号の説明】
【００６６】
１、１Ａ    トンネル
２          透水セグメント
２ａ        セグメント本体
３          セグメント内配管
３ａ        外側シール溝
３ｂ        内側シール溝
３ｃ        セグメント内配管シール溝
４          地下水
５          通水管
６          排水管
７          連結管
７Ａ        貯留溝
７ａ        中間通水管
８          スリット
９          フィルター
１０        掃除用配管
１０ａ      掃除用止水栓ネジ部
１１        掃除穴
１２        掃除用止水栓
１３        貫通管
１４        貫通孔
１５        止水栓
１５ａ      ネジ部
１６        裏込め
１７        水平管
１８ａ      端部水平管
１８ｂ      端部水平管
２０ａ、２０ｂ    突起部
２１        鋼枠ウェブ
２２        鋼枠フランジ
２３        継手板
２４        嵌め込みピン
２５        嵌め込み孔
３０        透水セグメント
３０ａ      鋼製のセグメント本体
３１        継手板
３２        通水空間
３３        セグメント主桁
３４        セグメント鋼板
３５        通水部
３６        セグメント主桁
３７        止水栓
３７ａ      ネジ部
３８        裏込め
４０        透水セグメント
４０ａ      鋼製のセグメント本体
４１        充填材
４２        セグメント主桁
４３        セグメント鋼板
４４        セグメント内配管
４５        止水栓
４６        ガイド管
５０        透水セグメント
５１        スキンプレート
５２        縦リブ
５３        セグメント継手板
５４        セグメントシール
５５        ガイド管
５６        通水配管
５７        止水栓
５８        縦管
５８ａ      横リブ
５９        掃除用配管
５９ａ      掃除用止水栓
６０        通水配管シール溝
６１        セグメントシール溝
【図１】
0004493699.tif 000002
【図２】
0004493699.tif 000003
【図３】
0004493699.tif 000004
【図４】
0004493699.tif 000005
【図５】
0004493699.tif 000006
【図６】
0004493699.tif 000007
【図７】
0004493699.tif 000008
【図８】
0004493699.tif 000009
【図９】
0004493699.tif 000010
【図１０】
0004493699.tif 000011
【図１１】
0004493699.tif 000012
【図１２】
0004493699.tif 000013